【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
第一の画像データと属性データの入力が可能な画像処理装置であって、
前記第一の画像データに対応した画像を転写材上に形成すると共に、前記属性データが示す情報を前記画像が形成された前記転写材上に形成する画像形成手段と、
前記属性データから第二の画像データを生成する生成手段と、
前記第一の画像データと前記第二の画像データとを前記画像処理装置で処理したジョブの履歴として記録するよう制御する制御手段と、
を備えることを特徴とする画像処理装置。
【請求項２】
前記属性データは、転写材上に形成する透明トナー用の属性データと、前記画像を構成する各画素が文字或いはイメージ或いはグラフィックのいずれで構成されているかを示す属性とを含むことを特徴とする請求項１に記載の画像処理装置。
【請求項３】
前記第一の画像データに画像処理を施して第三の画像データを得る第一の画像処理手段と、
前記第二の画像データに画像処理を施して第四の画像データを得る第二の画像処理手段と、を備え、
前記制御手段は、前記第三の画像データと前記第四の画像データとを前記画像処理装置で処理したジョブの履歴として記録するよう制御することを特徴とする請求項１に記載の画像処理装置。
【請求項４】
前記第一の画像データと前記第二の画像データとを合成する合成手段を更に備え、
前記制御手段は、前記合成手段が合成して得た画像データを前記画像処理装置で処理したジョブの履歴として記録するよう制御することを特徴とする請求項１に記載の画像処理装置。
【請求項５】
前記制御手段は、前記第一の画像データと前記第二の画像データを別々に記録するよう制御することを特徴とする請求項１に記載の画像処理装置。
【請求項６】
前記制御手段は、前記第三の画像データと前記第四の画像データを別々に記録するよう制御することを特徴とする請求項３に記載の画像処理装置。
【請求項７】
前記第一の画像データと前記第二の画像データを合成して記録するモードと、前記第一の画像データと前記第二の画像データを別々に記録する記録モードのいずれかを選択する選択手段、を備えることを特徴とする請求項１に記載の画像処理装置。
【請求項８】
前記第三の画像データと前記第四の画像データを合成して記録するモードと、前記第三の画像データと前記第四の画像データを別々に記録する記録モードのいずれかを選択する選択手段、を備えることを特徴とする請求項３に記載の画像処理装置。
【請求項９】
画像データを前記画像処理装置で処理したジョブの履歴として記録する外部記録手段が前記画像処理装置にネットワークを介して接続されることを特徴とする請求項１に記載の画像処理装置。
【請求項１０】
画像データを前記画像処理装置で処理したジョブの履歴として記録する記録手段、を備えることを特徴とする請求項１に記載の画像処理装置。
【請求項１１】
第一の画像データと属性データの入力が可能な画像処理装置の制御方法であって、
前記第一の画像データに対応した画像を転写材上に形成すると共に、前記属性データが示す情報を前記画像が形成された前記転写材上に形成する画像形成ステップと、
前記属性データから第二の画像データを生成する生成ステップと、
前記第一の画像データと前記第二の画像データとを前記画像処理装置で処理したジョブの履歴として記録するよう制御する制御ステップと、を有することを特徴とする制御方法。
【請求項１２】
請求項１１記載の画像処理装置の制御方法をコンピュータに実行させるためのコンピュータで読み取り可能なプログラムコードを有するプログラム。
【手続補正２】
【補正対象書類名】明細書
【補正対象項目名】００１２
【補正方法】変更
【補正の内容】
【００１２】
上述の目的を達成するために、本発明は、第一の画像データと属性データの入力が可能な画像処理装置であって、前記第一の画像データに対応した画像を転写材上に形成すると共に、前記属性データが示す情報を前記画像が形成された前記転写材上に形成する画像形成手段と、前記属性データから第二の画像データを生成する生成手段と、前記第一の画像データと前記第二の画像データとを前記画像処理装置で処理したジョブの履歴として記録するよう制御する制御手段と、を備えることを特徴とする。
【手続補正３】
【補正対象書類名】明細書
【補正対象項目名】００１３
【補正方法】変更
【補正の内容】
【００１３】
本発明によれば、第一の画像データと、属性データから生成した第二の画像データとを画像処理装置で処理したジョブの履歴として記録する。従って、画像データと同様に属性データに関してもジョブ履歴として記録することができる。これにより、第三者が機密情報を画像処理装置に対し透明トナー用の属性データとして送信し証拠を残さずに機密情報を画像形成出力することを防止することが可能となる。
【手続補正４】
【補正対象書類名】明細書
【補正対象項目名】０１０３
【補正方法】変更
【補正の内容】
【０１０３】
図１０において、画像処理装置で原稿から画像を読み取り用紙に画像を印刷するコピー出力ジョブの処理を行う場合を説明する。ステップＳ１００１では、ユーザによる操作部１５０へのコピー出力ジョブための設定を受け付けると、制御部１１０のメインコントローラ１１１は、コピー設定が行われたことを検知する。コピー設定の内容は、コピーを行う部数、用紙サイズ、コピーを用紙の片面に行うかコピー後の用紙の製本を行うかの片面／製本、コピーの拡大／縮小率、コピー後の用紙のソート出力の有無、ステイプル止めの有無等である。なお、ステップＳ１００１では、さらに、図３の設定画面を用いた透明トナーで重畳する画像に関する設定を行ってもよい。この場合、透明トナー用属性データを含む属性データはＣＰＵ１１２により生成される。
【手続補正５】
【補正対象書類名】明細書
【補正対象項目名】０１０４
【補正方法】変更
【補正の内容】
【０１０４】
次に、ステップＳ１００２では、ユーザによる操作部１５０へのコピー開始指示を受け付け、メインコントローラ１１１は、ＣＰＵ１１２によりスキャナＩ／Ｆ回路１４０及びコネクタ１４２を介してリーダ部２００を制御し、原稿の画像を読み取る。リーダ部２００により原稿から読み取られた画像データはＤＲＡＭ１１６に記憶される。
【手続補正６】
【補正対象書類名】明細書
【補正対象項目名】０１０８
【補正方法】変更
【補正の内容】
【０１０８】
次に、ステップＳ１００６では、メインコントローラ１１１は、プリンタＩ／Ｆ回路１４５及びコネクタ１４７を介してプリンタ部３００を制御しつつ、ＤＲＡＭ１１６に記憶された画像データを適切なタイミングでプリンタ部３００へ転送する。
【手続補正７】
【補正対象書類名】明細書
【補正対象項目名】０１１５
【補正方法】変更
【補正の内容】
【０１１５】
次に、ステップＳ１１０６では、メインコントローラ１１１は、プリンタＩ／Ｆ回路１４５及びコネクタ１４７を介してプリンタ部３００を制御しつつ、ＤＲＡＭ１１６に記憶された画像データ及び属性データを適切なタイミングでプリンタ部３００へ転送する。この場合、プリンタＩ／Ｆ回路１４５において画像データに画像処理を施すとともに、属性データを解析し透明トナー信号６０５を生成する。そして、プリント対象画像の所定の位置に透明トナーによる画像を重畳するよう制御する。
【手続補正８】
【補正対象書類名】明細書
【補正対象項目名】０１１８
【補正方法】変更
【補正の内容】
【０１１８】
また、図１１のフローチャートで、画像処理装置が情報装置７０４から受信したＰＤＬデータに透明トナー用の属性データが含まれていた場合は、ステップＳ１１０３において、メインコントローラ１１１は、透明トナー用の属性データをＰＤＬデータから分離する。即ち、図６に示した属性データ６０３に分離する。ここで、従来技術によればＣ、Ｍ、Ｙ、Ｋ画像データはセキュリティユニットに送信されるが、属性データ６０３に基づいて生成される透明トナー用信号はＣ、Ｍ、Ｙ、Ｋ画像データではないため、セキュリティユニットに送信されることはない。
【手続補正９】
【補正対象書類名】図面
【補正対象項目名】図１４
【補正方法】変更
【補正の内容】
【図１４】
2010004124.tif 000001